【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  
（i）化学式Ａｎのオリゴマープロシアニジンであって、ｎは２から１８の整数であり、Ａは以下の化学式を有するオリゴマープロシアニジン、あるいはその塩、誘導体または酸化生成物；および
（ii）Ｌ−アルギニン；を含み、
前記オリゴマープロシアニジンの量は食品１００ｇ当たり少なくとも約３００ｍｇであって、Ｌ−アルギニンの量は食品１００ｇ当たり少なくとも約１．２ｇであることを特徴とする食品：
【化１】
2002505864.tif 000001
Ｒは３−(α)−ＯＨ、３−(β)−ＯＨ、３−(α)−Ｏ−糖類、３−(β)−Ｏ−糖類、３−(α)−Ｏ−Ｃ(Ｏ)−Ｒ１または３−(β)−ＯＣ(Ｏ)−Ｒ１であり；
隣接するモノマー同士の結合は４位、６位または８位にて発生し、 ４位におけるモノマーとの結合はαまたはβ立体化学特性を有し；
Ｘ、ＹおよびＺは、Ａ、水素、および糖類部分のいずれかであり、ただし、少なくとも１つの末端モノマーに関して、それと隣接するモノマーとの結合が少なくとも４位にて行われ、そして必要に応じてＹ＝Ｚ＝水素であることを条件とし；そして、
糖類部分は単糖類または二糖類部分であり、必要に応じてフェノール部分と置換され、
Ｒ’は、必要に応じて少なくとも１つのヒドロキシル基で置換されるアリールまたは複素環式アリール部分である。
【請求項２】  前記Ｌ−アルギニンの量が、食品１００ｇ当たり少なくとも１．６ｇであることを特徴とする請求項１記載の食品。
【請求項３】  前記Ｌ−アルギニンが、ナッツ、豆類、種子およびゼラチンから選択される少なくとも１つの食品成分によって提供されることを特徴とする請求項１または２記載の食品。
【請求項４】  前記Ｌ−アルギニンを含有する食品成分が、ナッツ、豆類または種子からの果肉、皮、ペーストまたは粉であることを特徴とする請求項３記載の食品。
【請求項５】  前記ナッツが、ピーナッツ、クルミ、アーモンド、ハシバミ、ペカン、カシューおよびマカデミアナッツから選択され、前記豆類が大豆であり、前記種子がヒマワリ種子、ゴマ種子、アマ種子およびカボチャ種子から選択されることを特徴とする請求項４記載の食品。
【請求項６】  前記オリゴマープロシアニジンが、少なくとも１つのココア成分によって提供されることを特徴とする請求項１から５いずれか１項記載の食品。
【請求項７】  前記ココア成分が、焼いたカカオニブまたはその画分、チョコレートリッカー、部分的に脱脂されたココア固形物、十分に脱脂されたココア固形物、またはそれらの混合物であることを特徴とする請求項６記載の食品。
【請求項８】  前記オリゴマープロシアニジンが、ココア抽出物によって提供されることを特徴とする請求項１から５いずれか１項記載の食品。
【請求項９】  前記ココア抽出物が、食品１００ｇ当たり少なくとも２５ｍｇの量で存在することを特徴とする請求項８記載の食品。
【請求項１０】  菓子、香辛料、焼き製品、穀物ベースのバー、ミール代替バー、飲料ミックス、飲料またはペットフードであることを特徴とする請求項１から９いずれか１項記載の食品。
【請求項１１】  非チョコレート食品であることを特徴とする請求項１から１０いずれか１項記載の食品。
【請求項１２】  ピーナッツベースの食品であることを特徴とする請求項１１記載の食品。
【請求項１３】  チョコレート食品であることを特徴とする請求項１から１０いずれか１項記載の食品。
【請求項１４】  前記チョコレート食品がチョコレート菓子であることを特徴とする請求項１３記載の食品。
【請求項１５】  前記チョコレート菓子がダークチョコレートを含むことを特徴とする請求項１４記載の食品。
【請求項１６】  前記チョコレート菓子がミルクチョコレートを含むことを特徴とする請求項１４記載の食品。
【請求項１７】  皮を有するナッツ、粉砕ナッツ皮またはその混合物を含有することを特徴とする請求項１０記載の食品。
【請求項１８】  動物用食品であることを特徴とする請求項１から１７いずれか１項記載の食品。
【請求項１９】  
（i）化学式Ａｎのオリゴマープロシアニジンであって、ｎは２から１２の整数であり、Ａは以下の化学式を有するオリゴマープロシアニジン、あるいはその塩、誘導体または酸化生成物；および
（ii）Ｌ−アルギニン；を含み、
前記オリゴマープロシアニジンおよびＬ−アルギニンが、組成物を摂取した後に哺乳動物で心血管利益を供するのに効果的な総量で存在することを特徴とする医薬組成物：
【化２】
2002505864.tif 000002
Ｒは３−(α)−ＯＨ、３−(β)−ＯＨ、３−(α)−Ｏ−糖類、３−(β)−Ｏ−糖類、３−(α)−Ｏ−Ｃ(Ｏ)−Ｒ１または３−(β)−ＯＣ(Ｏ)−Ｒ１であり；
隣接するモノマー同士の結合は４位、６位または８位にて発生し、 ４位におけるモノマーとの結合はαまたはβ立体化学特性を有し；
Ｘ、ＹおよびＺは、Ａ、水素、および糖類部分のいずれかであり、ただし、少なくとも１つの末端モノマーに関して、それと隣接するモノマーとの結合が少なくとも４位にて行われ、そして必要に応じてＹ＝Ｚ＝水素であることを条件とし；そして、
糖類部分は単糖類または二糖類部分であり、必要に応じてフェノール部分と置換され、
Ｒ’は、必要に応じて少なくとも１つのヒドロキシル基で置換されるアリールまたは複素環式アリール部分である。
【請求項２０】  前記プロシアニジンが単位用量当たり１０ｍｇから約５ｇの量で存在し、かつ、前記Ｌ−アルギニンが単位用量当たり約１００ｍｇから約３０ｇの量で存在することを特徴とする請求項１９記載の組成物。
【請求項２１】  前記プロシアニジンが単位用量当たり２５ｍｇから３ｇの量で存在し、前記Ｌ−アルギニンが単位用量当たり０．５ｇから１０ｇの量で存在することを特徴とする請求項１９または２０記載の組成物。
【請求項２２】  前記プロシアニジンおよび／またはＬ−アルギニンが合成されたものであることを特徴とする請求項１から１８いずれか１項記載の食品または請求項１９から２１いずれか１項記載の組成物。
【請求項２３】  ｎが５から１２の整数であることを特徴とする請求項１から１８いずれか１項記載の食品または請求項１９から２１いずれか１項記載の組成物。
【請求項２４】  
（i）化学式Ａｎのオリゴマープロシアニジンであって、ｎは２から１８の整数であり、Ａは以下の化学式を有するオリゴマープロシアニジン；および
（ii）Ｌ−アルギニン；の組合せを含むことを特徴とする、哺乳動物で心血管利益を供しまたは腎疾患を治療するのに使用するための物質：
【化３】
2002505864.tif 000003
Ｒは３−(α)−ＯＨ、３−(β)−ＯＨ、３−(α)−Ｏ−糖類、３−(β)−Ｏ−糖類、３−(α)−Ｏ−Ｃ(Ｏ)−Ｒ１または３−(β)−ＯＣ(Ｏ)−Ｒ１であり；
隣接するモノマー同士の結合は４位、６位または８位にて発生し、 ４位におけるモノマーとの結合はαまたはβ立体化学特性を有し；
Ｘ、ＹおよびＺは、Ａ、水素、および糖類部分のいずれかであり、ただし、少なくとも１つの末端モノマーに関して、それと隣接するモノマーとの結合が少なくとも４位にて行われ、そして必要に応じてＹ＝Ｚ＝水素であることを条件とし；そして、
糖類部分は単糖類または二糖類部分であり、必要に応じてフェノール部分と置換され、
Ｒ’は、必要に応じて少なくとも１つのヒドロキシル基で置換されるアリールまたは複素環式アリール部分である。
【請求項２５】  心臓血管疾患を軽減するためのものであることを特徴とする請求項２４記載の物質。
【請求項２６】  血圧調節または血管拡張調節のためのものであることを特徴とする請求項２４または２５記載の物質。